(57)【要約】【課題】  従来、当然ながら飲料水のペットボトルやアルミ缶には、１種類しか入っていなかった。これでは飲んでいくうちに飽き、また途中までしか飲むことが出来ず、残りは捨ててしまうことがあった。また、例えば、緑茶とウーロン茶、オレンジとアップルジュース、炭酸飲料とスポーツドリンク、お茶とコーヒー、ミネラルウォーターとコーヒー、ビールとカクテル、どちらも飲みたいと思っても、どちらかを選ばないといけなかった。【解決手段】  そこで、従来のペットボトルを真ん中から半分にしたような形の、ハーフボトル容器の側面にスライド式ジョイント機能をつけたり、ミニボトル容器で上の容器の底面にキャップを内蔵させ、そこに下の容器の口部分を回転させてジョイントさせたり、ジョイント穴と突起物を利用した、はめこみ式ジョイント機能によって、容器の中身を２つの種類に完全に分けることが出来る。【選択図】      図１
2007055681.tif 000002
【特許請求の範囲】
【請求項１】
別々に分かれた、２つのハーフペットボトル容器やアルミボトル容器を、ボトル容器の側面でスライドジョイントさせることにより、片方をだれかと分け合えたり、２つの容器のうち一つだけを凍らせたり、また、違う２種類の飲料水を１本買うだけで飲めるスライド式ジョイントボトル容器。（図１参照）
【請求項２】
２つの別々のミニペットボトルやアルミ容器ボトルを、上下でジョイントさせることの出来るボトル容器として、上の容器と下の容器をジョイントさせるために、上の容器の底にキャップを内蔵することにより、下の容器の飲み口部分を、ネジのように回転させて入れられ、上の容器の底が下の容器のキャップ代わりになる、キャップ内蔵ジョイントボトル容器。（図２参照）
【請求項３】
２つの別々のハーフペットボトル容器やアルミボトル容器の側面ので、ジョイント穴と、突起物の出っ張りを利用した、ハメコミ式ジョイントボトル容器。（図３参照）
【請求項４】
自動販売機や店舗販売用の業務用だけでなく、ホームセンターなどの量販店でボトルを購入できる、家庭用ジョイントボトル容器。
【発明の詳細な説明】
【技術分野】
【０００１】この発明は、飲料水に使用する、別々の２つのオリジナルハーフペットボトル容器やアルミボトル容器を、ボトル容器の互いの側面と側面でスライドさせてジョイント（図１参照）、または、上下でキャップ内蔵回転式ジョイント（図２参照）、または、ジョイント穴と突起物の出っ張りを利用しての、はめこみ式ジョイント（図３参照）、それぞれ３つの方法があり、どれも、飲料水を完全に分けられる、２つで１本のジョイントボトル容器となる。
【背景技術】
【０００２】従来、当然ながら飲料水用のペットボトルやアルミ缶には、お茶、コーヒー、ジュース類、お酒類が１種類しか入っていなかった。
【発明の開示】
【発明が解決しようとする課題】
【０００３】だから、これでは飲んでいくうちに飽きてしまい、途中までしか飲むことが出来ない、又は途中で炭酸がぬけてしまい、残りは捨ててしまうことがあったことを、解決することを課題の１つとする。【０００４】また、例えば、緑茶とウーロン茶、オレンジとアップルジュース、炭酸飲料とスポーツドリンク、お茶とコーヒー、ミネラルウォーターとコーヒー、ビールとカクテル、それぞれどちらも飲みたいと思っても、どちらかを選ばないといけなかったことを、解決することを課題の１つとする。
【課題を解決するための手段】
【０００５】以上の課題を解決するための請求項１の発明は、（１本を５００ミリリットルと仮定すると）２５０ミリリットルの、２つのオリジナルハーフボトル容器を、互いの側面と側面でスライドさせてジョイントすることにより完全に飲料水を分けることが出来る容器を発明した。（図１参照）【０００６】また、請求項２の発明は、２つの別々のミニボトル容器を上下でジョイントさせることの出来る容器として、上の容器と下の容器をジョイントさせるために、上の容器の底にキャップを内蔵することを特徴とし、下の容器の飲み口部分をネジのように回転させて入れられ、上の容器の底が下の容器のキャップ代わりになる、キャップ内蔵回転式ジョイントボトル容器を発明した。（図２参照）【０００７】また、請求項３の発明は、２つの別々のオリジナルハーフ容器を側面で、それぞれにジョイント穴と突起物の出っ張りを利用した、はめこみ式ジョイントボトル容器を発明した。（図３参照）
【発明の効果】
【０００８】第一発明から第三発明はどれも、ハーフボトル容器、又はミニボトル容器なので、自動販売機にも対応でき、２種類の飲料水を２つのボトル容器に完全に分けることができる。【０００９】また、完全にボトル容器が分かれているので、炭酸飲料とお茶など、今まででは考えられないようなまったく種類の違う飲料水が１本で楽しむことができるようになる。【００１０】さらに、２つの容器を完全にくっつけてしまう溶着式ではないので、２本の内、１本をだれかにあげるとか、半分飲んで残りの半分を後で飲む時、飲んだ片方の容器を捨てることが出来るので、持ち運びもコンパクトになる。【００１１】本発明はジョイント式なので、スライド、又は回転、又は取り外して飲むことが出来るので、溶着式とは違い、非常に持ちやすく、飲みやすい構造になっている。【００１２】本発明の、ジョイントハーフボトル容器は家庭用としても利用可能で、溶着式とは違い、２つに取り外して使うことが出来るので、１つを冷蔵庫、もう一つは冷凍庫で凍らせておいて、外にボトルを持って出かけると、時間差を利用して、長時間冷たい状態で飲料水を飲むことができ、アウトドアにも最適である。
【発明を実施するための最良の形態】
【００１３】図１は、ペットボトルでの、２つのオリジナルハーフボトル容器で、容器の側面の一部にスライド機能を付けたことを特徴としています。レールとレールの溝でスライドさせます。飲みやすさを追求すると、レールの配置は横より、上下にスライドする位置にすると良いと思われます。飲みたい側の容器を上げれば、無理なく飲料水を飲むことが出来ます。自動販売機でも使用できるように、今の形をなるべく崩すことのない、現状のペットボトル容器を真ん中から半分にしたような、図１の形が最良だと思います。【００１４】図２は、上のミニボトル容器と下のミニボトル容器をジョイントさせるためには、上の容器の底にキャップを内蔵させることにより、下の容器の飲み口部分をネジのように回転させて入れられ、上の容器の底が下の容器のキャップ代わりになるのが特徴の、キャップ内蔵ジョイントボトル容器にするのが最良だと思われます。【００１５】  図３は、一つ目のオリジナルハーフ容器の側面で、淵に安定感を持たせるために、４箇所のジョイント穴を、もう一つのハーフ容器には４つの突起物の出っ張りを付け、それぞれを押して、はめこむジョイントボトル容器にするのが最良だと思われます。
【産業上の利用可能性】
【００１６】本発明のジョイントボトル容器は、単なるペットボトル玩具とは違い、オリジナルハーフボトル容器、又はミニボトル容器、いずれのタイプも、現状の形を極力保つことにより、自動販売機にも対応できるため、実用性が高く、拡販しやすいので、産業上の利用可能性を有する。【００１７】また、色々な飲料水での組み合わせのバリエーションが可能であり、飲料水業界の新たな切り口となり、一つのバリエーションとして構築していくため、産業上の利用可能性を有する。【００１８】自動販売機や店舗販売用の業務用としてだけではなく、００１２で説明したように、アウトドアでの、家庭用ボトル容器としても応用可能で、さらに産業上の可能性が広がります。
【図面の簡単な説明】
【００１９】
【図１】従来の５００ミリリットルのペットボトルを真ん中から半分にしたような形の、オリジナルハーフボトル容器の側面にそれぞれ、スライドレールとレールの溝を設けて、ハーフ容器２個をスライドさせジョイントすることにより、従来のような１本のボトル容器になる図である。図は２つの容器どちらも容器の側面から見た、スライド部分を表している。
【図２】上のミニボトル容器の底部分にキャップを内蔵することにより、下のミニボトル容器の口部分を回してジョイントできる、上下セットで、従来のような１本のボトル容器になる。
【図３】図１と同じ、オリジナルハーフ容器の側面の片方にジョイント穴４個と、もう片一方に突起物の出っ張り４個を付けた場合で、穴部分と突起物部分をはめ合わせることによって、従来のような１本のボトル容器になる図である。図は左の容器が側面から見た状態のジョイント穴を、右は容器を正面から見た場合の図である。
【符号の説明】
【００２０】１    スライドレール
２    スライドレールの溝
３    オリジナルハーフボトル容器の本体（側面）
４    キャップ
５    容器の底部分に内蔵されたキャップ
６    容器の口部分
７    ミニボトル容器本体
８    ジョイント穴
９    ジョイント突起物
１０  オリジナルハーフボトル容器の本体（正面）
【図１】
2007055681.tif 000003
【図２】
2007055681.tif 000004
【図３】
2007055681.tif 000005